(57)【要約】      （修正有）【課題】頭部に巻いて固定するタオルにおいて、結び目を小さくほどけにくくするとともに、両端部は軽く、かつ、適度に吸水できるようにする。【解決手段】横長形状の頭部用タオルとして、長手方向に沿って両端部分３０と中央部分１０、及び、両端部分３０と中央部分１０の間に設けられる境部分２０とを形成し、中央部分１０をパイル地で構成するとともに、境部分２０は平地で構成し、両端部部分３０は中央部分１０よりも薄いパイル地で構成する。【選択図】図１
0003135249.tif 000002
【実用新案登録請求の範囲】
【請求項１】
横長形状のタオルであって、長手方向に沿って両端部分と中央部分、及び、両端部分と中央部分の間に設けられる境部分が形成され、中央部分がパイル地で形成されるとともに、境部分は平地で形成され、両端部部分は中央部分よりも薄いパイル地で形成される頭部用タオル。
【請求項２】
前記境部分の少なくとも一部には平地よりも摩擦係数の大きな薄い素材が固定される請求項１に記載の頭部用タオル。
【請求項３】
前記頭部用タオルの少なくとも一の長辺の両端近傍のそれぞれに、互いに係合し合う係合手段と被係合手段が設けられる請求項１又は２に記載の頭部用タオル。
【考案の詳細な説明】
【技術分野】
【０００１】
本考案は、主として頭部に巻き、後ろ側で縛って固定する用途に用いられるタオルに関する。
【背景技術】
【０００２】
工事現場等では、ヘルメットを着用することが義務付けられるが、炎天下などで作業をすると頭部に汗をかき蒸れるので、頭部にタオルを巻いてからヘルメットを着用することがしばしば行われる。また、このタオルは首筋近傍の日除けの役割も果たす。
このような頭部に巻かれるタオルは、後ろ側で縛って固定するが、吸水性のよい厚手のタオルを縛ると結び目が大きくなってしまい、ヘルメットが被りにくく、ほどけやすくなるという問題がある。
このような問題に対応するものとして、下記特許文献１、２には頭部に巻くタオルの両端近傍に平地の部分を形成することが示されている。即ち、特許文献１に記載の考案は、両端部と中央部の間に平地部分を形成することが示され、特許文献２に記載の考案は、両端部に平地部分を形成することが示されている。このように平地部分を形成することで、結び目を平地部分で行うことにより結び目を小さくすることができ、また、ほどけにくくすることができる。
【特許文献１】特開２００５−１７７３８８公報
【特許文献２】特開２００４−７３７９０公報
【考案の開示】
【考案が解決しようとする課題】
【０００３】
ところで、特許文献１に記載のタオルのように、中央部分と両端部分を同じパイル地で形成すると、吸水があまり要求されない両端部分も厚くなって装着すると暑苦しくなり、また、特許文献２に記載のタオルのように両端部分を全て平地で形成すると、首筋の汗などを吸水したい場合に十分に水分を吸い取ることができないという問題が生じる。
本考案は、このような問題に鑑みて、頭部に巻いて固定するタオルにおいて、結び目を小さくほどけにくくするとともに、両端部は軽く、かつ、適度に吸水できるようにすることを課題とする。
【課題を解決するための手段】
【０００４】
上記課題を解決するために、本考案は次のような構成を有する。
請求項１に記載の考案は、横長形状の頭部用タオルであり、長手方向に沿って両端部分と中央部分、及び、両端部分と中央部分の間に設けられる境部分とが形成され、中央部分がパイル地で形成されるとともに、境部分は平地で形成され、両端部部分は中央部分よりも薄いパイル地で形成されるものである。
請求項２に記載の考案は、前記頭部用タオルにおいて、前記境部分の少なくとも一部には平地よりも摩擦係数の大きな薄い素材が固定されるものである。
請求項３に記載の考案は、前記頭部用タオルにおいて、前記頭部用タオルの少なくとも一の長辺の両端近傍のそれぞれに、互いに係合し合う係合手段と被係合手段が設けられるものである。
【考案の効果】
【０００５】
請求項１に記載の考案は、境部分が平地で形成されるので、この部分で結び目を作ることで結び目を小さく、ほどけにくくすることができるとともに、両端部が中央部分よりも薄いパイル地で形成されることで、重苦しくなくかつ適度に首筋の汗を吸収することができる。
請求項２に記載の考案は、境部に平地よりも摩擦係数の大きな素材が固定されることで、この部分を結んだときに、結び目が滑りにくくなるので、結んだ際によりほどけにくくすることができる。
請求項３に記載の考案は、結び目を結んだ際に係合手段と被係合手段が設けられた長辺が内側で重なるように、結び目を形成することで、係合手段と被係合手段を互いに係合させることで、タオルの端部が中央で連結するので、首筋近傍に隙間ができにくくなり日除け効果を高めることができる。
【考案を実施するための最良の形態】
【０００６】
以下、本考案の実施形態について、図を参照しながら説明する。
図１に本実施形態に係る頭部用タオルＸの正面図を示す。頭部用タオルＸは長方形状であって、長手方向に沿って分けられた、中央部分１０、両端部分３０、中央部分１０と両端部分の境に形成される境部分２０の３つの部分により構成される。
中央部分は、ロングパイル織りにより形成される厚手のタオル地により形成され、平均的な大人の頭部を巻くことが出来る程度の長さを有する。
境部分２０は、平織りなどの平地により形成され、結び目が形成できる長さを有する。境部分２０の両縁部近傍の表面及び裏面には、タオルの長手方向に沿って薄い短冊状のゴムシート２１が熱圧着により固定されている。
両端部分３０は、ショートパイル織りにより形成される薄手のタオル地により形成され、平均的な大人の首の長さ程度の長さを有する。両端部分３０の頭部用タオルＸの一方の短辺を挟んで対向する各角部近傍には、凸スナップボタン３１が裏表向きを違えて固定されており、他方の短辺を挟んで対向する各角部近傍には、凹スナップボタン３２が裏表違えて固定されている。また、これらの凸スナップボタン３１と凹スナップボタン３２とは、頭部用タオルＸの両側の長辺を挟んで、凸スナップボタン３１と凹スナップボタン３２とが表裏を違えて固定されるようになっている。即ち、頭部用タオルＸの両長辺の両端近傍に、互いに係合する凸スナップボタン３１と凹スナップボタン３２が固定されていることとなる。
【０００７】
次に、以上のような構成を有する頭部用タオルＸの使用方法について説明する。まず、使用者は、中央部分１０の真ん中を額に当てて中央部分１０を頭部に巻きつけ、図２に示すように、境部分２０同士で結び目ができるように結んで固定する。次に、この状態で図３に示すようにヘルメットHを被り、両端部分３０の端を片側に引っ張り両端を広げて、図３に示すように首筋中央に各両端部分３０の縁部同士を重ね、角部に設けられている凸スナップボタン３１と凹スナップボタン３２とを係合させる。そして、外側の角部を広げることで装着が完了する。
本実施形態に係る頭部用タオルＸは、最も汗をかく頭部を厚手のタオル地で覆うことで十分な吸水性を確保することができるとともに、比較的汗が乾きやすい首筋は薄手のタオル地で覆うことで嵩張ることなく適度な吸水性を確保することができる。また、結び目は平地で形成された境部分２０を使用することで、結び目を小さくでき、さらに、境部分２０には短冊状のゴムシート２１が固定されているので摩擦力が強くなり、結び目が解けにくい。そして、角部分に係合手段及び被係合手段となるスナップボタンを設けることで、首筋近傍で隙間が開きにくくなり、また、片側に引っ張っても中央が開かないのでしっかりと首筋から外側に両端部分３０を広げることができる。
【図面の簡単な説明】
【０００８】
【図１】実施形態に係る頭部用タオルの正面図である。
【図２】実施形態に係る頭部用タオルの使用状態を示す斜視図である。
【図３】実施形態に係る頭部用タオルの他の使用状態を示す背面図である。
【符号の説明】
【０００９】
Ｘ      頭部用タオル
１０    中央部分
２０    境部分
２１    ゴムシート
３０    両端部分
３１    凸スナップボタン
３２    凹スナップボタン
【図１】
0003135249.tif 000003
【図２】
0003135249.tif 000004
【図３】
0003135249.tif 000005